(57)【要約】【課題】冊子状の記録媒体の開閉に合わせて一対の検出装置の位置関係を変更することができる情報入力装置を提供する。【解決手段】検出装置２Ｌは、左カバー部４Ｌに対して左右方向に移動できる。検出装置２Ｒは右カバー部４Ｒに固定される。外装カバー４は折曲部４Ｃを折り曲げることで、検出装置２Ｌの検出面と検出装置２Ｒの検出面とが対向する状態に折り畳むことができる。ノート５は左右の表紙が検出装置２Ｌ，２Ｒの検出面に夫々装着される。検出装置２Ｌ，２Ｒは、ノート５の開閉に応じて相対的に近接または離間することができる。検出装置２Ｌ，２Ｒを電気的に接続するハーネス５０は、中間部５３に形成された湾曲部５３Ａ，５３Ｂの開き角度が変化することによって伸縮できる。よって検出装置２Ｌ，２Ｒは、ノート５の開閉が繰り返されても電気的な接続を維持できる。【選択図】図７
2016071467.tif 000002
【特許請求の範囲】
【請求項１】
一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、
第一検出面を有し、前記第一検出面に近接する前記筆記具の位置を検出可能な板状体であって、前記一対の表紙のうちの第一表紙の紙面略全体と対向配置可能な第一検出装置と、
第二検出面を有し、前記第二検出面に近接する前記筆記具の位置を検出可能な板状体であって、前記一対の表紙のうちの第二表紙の紙面略全体と対向配置可能な第二検出装置と、
前記第一検出装置と前記第二検出装置とを連結する部材であって、
前記第一検出装置の前記第一検出面の反対側の面である第一裏面に対向配置され、前記第一検出装置を前記第二検出装置に対して近接する方向および離間する方向へ相対的に移動可能に保持する第一保持部と、
前記第二検出装置の前記第二検出面の反対側の面である第二裏面に対向配置され、前記第二検出装置を前記第一検出装置に対して近接する方向および離間する方向へ相対的に移動可能に保持する第二保持部と、
前記第一保持部と前記第二保持部とを連結し、前記第一検出面と前記第二検出面とが近接し且つ対向する第一向きと、前記第一向きとは反対向きの第二向きとに折り曲げ可能な折曲部と
を有する連結部材と、
前記第一検出装置と前記第二検出装置とを電気的に接続する導電性の部材であって、前記第一検出装置と前記第二検出装置との間の位置の変化に応じて伸縮可能な接続部材と
を備えたことを特徴とする情報入力装置。
【請求項２】
前記接続部材は、
前記折曲部が前記第一向きに折り曲げられた場合に伸びた状態となり、
前記折曲部が前記第二向きに折り曲げられた場合には縮んだ状態となること
を特徴とする請求項１に記載の情報入力装置。
【請求項３】
前記接続部材には、円弧状に湾曲する部分が、前記接続部材が延びる第一方向に直交する第二方向に沿って突出し、前記接続部材の伸縮に応じて突出先端における曲率が変化する湾曲部が形成されており、
前記折曲部が前記第一向きに折り曲げられた場合、前記湾曲部の曲率は小さくなり、
前記折曲部が前記第二向きに折り曲げられた場合、前記湾曲部の曲率は大きくなること
を特徴とする請求項１または２に記載の情報入力装置。
【請求項４】
前記連結部材は、前記接続部材を保護する保護部材を更に備え、
前記接続部材は、前記保護部材と前記折曲部との間に配置され、
前記接続部材が収縮した状態において、前記第二方向における前記湾曲部の長さは、前記第二方向における前記保護部材と前記折曲部との間隙の長さ以下であることを特徴とする請求項３に記載の情報入力装置。
【請求項５】
前記接続部材の前記第一方向に対する断面の形状で、前記湾曲部の変曲点における形状は、前記接続部材が収縮した状態において、円弧形状であることを特徴とする請求項３または４に記載の情報入力装置。
【請求項６】
前記接続部材には、前記第二方向の一方側に突出する第一湾曲部と、前記第二方向の他方側に突出する第二湾曲部とが交互に配置された複数の前記湾曲部が形成されており、
前記第一検出装置と前記第二検出装置とは、
前記折曲部を前記第一向きに折り曲げて、前記第一検出面と前記第二検出面とが互いに近接し且つ対向する第一形態と、
前記第一形態から更に前記折曲部を前記第二向きに折り曲げて、前記第一検出面と前記第二検出面とが離間する第二形態と、
前記第二形態から更に前記折曲部を前記第二向きに折り曲げて、前記第一裏面と前記第二裏面とが互いに近接し且つ対向する第三形態と
に配置可能であることを特徴とする請求項３から５のいずれかに記載の情報入力装置。
【請求項７】
前記接続部材には、折り目に沿って屈曲する部分が、前記接続部材が延びる第一方向に直交する第二方向に沿って突出し、前記接続部材の伸縮に応じて突出先端における内側の角度が変化する屈曲部が形成されており、
前記折曲部が前記第一向きに折り曲げられた場合、前記内側の角度は大きくなり、
前記折曲部が前記第二向きに折り曲げられた場合、前記内側の角度は小さくなること
を特徴とする請求項１または２に記載の情報入力装置。
【請求項８】
前記接続部材には、前記第二方向の一方側に突出する第一屈曲部と、前記第二方向の他方側に突出する第二屈曲部とが交互に配置された複数の前記屈曲部が形成されており、
前記第一検出装置と前記第二検出装置とは、
前記折曲部を前記第一向きに折り曲げて、前記第一検出面と前記第二検出面とが互いに近接し且つ対向する第一形態と、
前記第一形態から更に前記折曲部を前記第二向きに折り曲げて、前記第一検出面と前記第二検出面とが離間する第二形態と、
前記第二形態から更に前記折曲部を前記第二向きに折り曲げて、前記第一裏面と前記第二裏面とが互いに近接し且つ対向する第三形態と
に配置可能であることを特徴とする請求項７に記載の情報入力装置。
【請求項９】
前記連結部材は、前記接続部材を保護する保護部材を更に備え、
前記接続部材は、前記保護部材と前記折曲部との間に配置され、
前記接続部材が収縮した状態において、前記第二方向における前記屈曲部の長さは、前記第二方向における前記保護部材と前記折曲部との間隙の長さ以下であることを特徴とする請求項７または８に記載の情報入力装置。
【請求項１０】
前記接続部材は、導電性を有し、且つ伸縮可能なゴム部材を含んで形成され、
前記折曲部が前記第一向きに折り曲げられた場合、前記接続部材の長さは自然長よりも伸長された第一長さであり、
前記折曲部が前記第二向きに折り曲げられた場合、前記接続部材の長さは前記第一長さよりも収縮すること
を特徴とする請求項１または２に記載の情報入力装置。
【請求項１１】
前記連結部材は、前記接続部材を保護する保護部材を更に備え、
前記接続部材は、前記保護部材と前記折曲部との間に配置されたことを特徴とする請求項１０に記載の情報入力装置。
【発明の詳細な説明】
【技術分野】
【０００１】
本発明は、複数枚の用紙が綴じられた冊子上の記録媒体上で入力される情報を取得可能な情報入力装置に関する。
【背景技術】
【０００２】
複数枚の用紙が綴じられた冊子状の紙媒体に記入される情報を、電子化して保管および管理する技術が知られている。例えば、例えば、特許文献１に開示される情報管理システムでは、ユーザが手帳をデジタイザのパッド上に載せ、専用ペンで手書きのコンテンツを手帳に記載する。手書きのコンテンツは、デジタイザによって画像データとして読み込まれ、ＰＣのメモリに記憶される。上記のデジタイザは、卓上に配置され、手帳を見開きでデジタイザのパッド上に載せて使用する形態で用いられる。よって、ユーザには、デジタイザと手帳を持ち運んで使用するという煩わしさがある。
【先行技術文献】
【特許文献】
【０００３】
【特許文献１】特開２００２−１３２９４３号公報
【発明の概要】
【発明が解決しようとする課題】
【０００４】
ユーザがデジタイザに手帳を装着した状態で持ち運ぶ場合、間で二つ折り可能な一対のデジタイザの夫々に手帳の一対の表紙を装着し、デジタイザごと手帳を開閉することが考えられる。しかしながら、手帳の開閉時に回動の内周側に位置する一対の表紙間の位置関係と、外周側に位置する一対のデジタイザ間の位置関係は、手帳を開いた時と閉じた時とで異なる。従って、手帳の表紙が折れたり曲がったりする可能性がある。
【０００５】
本発明は、冊子状の記録媒体の開閉に合わせて一対の検出装置の位置関係を変更することができる情報入力装置を提供することを目的とする。
【課題を解決するための手段】
【０００６】
本発明の態様によれば、一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、第一検出面を有し、前記第一検出面に近接する前記筆記具の位置を検出可能な板状体であって、前記一対の表紙のうちの第一表紙の紙面略全体と対向配置可能な第一検出装置と、第二検出面を有し、前記第二検出面に近接する前記筆記具の位置を検出可能な板状体であって、前記一対の表紙のうちの第二表紙の紙面略全体と対向配置可能な第二検出装置と、前記第一検出装置と前記第二検出装置とを連結する部材であって、前記第一検出装置の前記第一検出面の反対側の面である第一裏面に対向配置され、前記第一検出装置を前記第二検出装置に対して近接する方向および離間する方向へ相対的に移動可能に保持する第一保持部と、前記第二検出装置の前記第二検出面の反対側の面である第二裏面に対向配置され、前記第二検出装置を前記第一検出装置に対して近接する方向および離間する方向へ相対的に移動可能に保持する第二保持部と、前記第一保持部と前記第二保持部とを連結し、前記第一検出面と前記第二検出面とが近接し且つ対向する第一向きと、前記第一向きとは反対向きの第二向きとに折り曲げ可能な折曲部とを有する連結部材と、前記第一検出装置と前記第二検出装置とを電気的に接続する導電性の部材であって、前記第一検出装置と前記第二検出装置との間の位置の変化に応じて伸縮可能な接続部材とを備えたことを特徴とする情報入力装置が提供される。
【０００７】
第一検出装置と第二検出装置を夫々保持する第一保持部と第二保持部は、第一検出装置と第二検出装置とを相対的に移動させ、第一検出装置と第二検出装置とを近接および離間させることができる。故に、記録媒体が開閉された場合に、第一検出装置と第二検出装置は、夫々、記録媒体の第一表紙と第二表紙の位置に合わせて相対的に移動することができる。情報入力装置は、記録媒体との位置合わせにおいて記録媒体に負荷を掛けず、記録媒体が折れ曲がることを防止できる。そして、接続部材は伸縮性を有するので、第一検出装置と第二検出装置とが相対的に移動しても、第一検出装置と第二検出装置との電気的な接続を維持することができる。
【０００８】
本態様において、前記接続部材は、前記折曲部が前記第一向きに折り曲げられた場合に伸びた状態となってもよい。前記折曲部が前記第二向きに折り曲げられた場合には縮んだ状態となってもよい。接続部材は、伸縮することによって、折曲部の曲げに伴う第一検出装置と第二検出装置との位置関係の変化に追従でき、第一検出装置と第二検出装置との電気的な接続を維持することができる。
【０００９】
本態様において、前記接続部材には、円弧状に湾曲する部分が、前記接続部材が延びる第一方向に直交する第二方向に沿って突出し、前記接続部材の伸縮に応じて突出先端における曲率が変化する湾曲部が形成されてもよい。前記折曲部が前記第一向きに折り曲げられた場合、前記湾曲部の曲率は小さくなってもよい。前記折曲部が前記第二向きに折り曲げられた場合、前記湾曲部の曲率は大きくなってもよい。接続部材は、湾曲部の曲率が変化し、開き角度が広がったり狭くなったりする動作によって伸縮する。記録媒体の開閉が繰り返し行われ、第一検出装置と第二検出装置との間の距離が繰り返し変化しても、接続部材は確実に伸縮することができるので、第一検出装置と第二検出装置との電気的な接続を維持することができる。また、接続部材の伸縮が湾曲部の曲率変化によって行われるため、接続部材は、湾曲部の変形に掛かる負荷を低減することができ、耐久性を向上させることができる。
【００１０】
本態様において、前記連結部材は、前記接続部材を保護する保護部材を更に備えてもよい。前記接続部材は、前記保護部材と前記折曲部との間に配置されてもよい。前記接続部材が収縮した状態において、前記第二方向における前記湾曲部の長さは、前記第二方向における前記保護部材と前記折曲部との間隙の長さ以下であってもよい。接続部材は、収縮によって湾曲部が湾曲した状態であっても、折曲部および保護部材に引っかかりにくいので、より確実に伸縮することができる。
【００１１】
本態様において、前記接続部材の前記第一方向に対する断面の形状で、前記湾曲部の変曲点における形状は、前記接続部材が収縮した状態において、円弧形状であってもよい。接続部材は、収縮によって湾曲部が湾曲した状態であっても、変曲点に係る負荷が分散されるので、耐久性を向上させることができる。
【００１２】
本態様において、前記接続部材には、前記第二方向の一方側に突出する第一湾曲部と、前記第二方向の他方側に突出する第二湾曲部とが交互に配置された複数の前記湾曲部が形成されていてもよい。前記第一検出装置と前記第二検出装置とは、前記折曲部を前記第一向きに折り曲げて、前記第一検出面と前記第二検出面とが互いに近接し且つ対向する第一形態と、前記第一形態から更に前記折曲部を前記第二向きに折り曲げて、前記第一検出面と前記第二検出面とが離間する第二形態と、前記第二形態から更に前記折曲部を前記第二向きに折り曲げて、前記第一裏面と前記第二裏面とが互いに近接し且つ対向する第三形態とに配置可能であってもよい。情報入力装置は、第一検出装置と第二検出装置とを第一形態に配置し、第一検出装置と第二検出装置との間に記録媒体を挟むことで、持ち運びを容易とすることができる。また、情報入力装置は、第一検出装置と第二検出装置とを第二形態に配置することで、記録媒体の筆記面を露出させ、ユーザに筆記させることができる。更に、情報入力装置は、第一検出装置と第二検出装置とを第三形態に配置することで、第一検出装置および第二検出装置を折り畳んだ状態としながら、記録媒体の筆記面を露出させ、ユーザに筆記させることができる。各形態への変形において、複数の湾曲部が夫々曲率を変更することで、接続部材は伸縮し、第一検出装置と第二検出装置との位置関係の変化に追従できる。故に、接続部材は、第一検出装置と第二検出装置との電気的な接続を維持することができる。
【００１３】
前記接続部材には、折り目に沿って屈曲する部分が、前記接続部材が延びる第一方向に直交する第二方向に沿って突出し、前記接続部材の伸縮に応じて突出先端における内側の角度が変化する屈曲部が形成されていてもよい。前記折曲部が前記第一向きに折り曲げられた場合、前記内側の角度は大きくなってもよい。前記折曲部が前記第二向きに折り曲げられた場合、前記内側の角度は小さくなってもよい。接続部材は、屈曲部の内側の角度が変化し、広がったり狭くなったりする動作によって伸縮する。屈曲部は、折り目に沿って規則的に屈曲する。故に接続部材は、安定して伸縮することができる。記録媒体の開閉が繰り返し行われ、第一検出装置と第二検出装置との間の距離が繰り返し変化しても、接続部材は確実に伸縮することができるので、第一検出装置と第二検出装置との電気的な接続を維持することができる。
【００１４】
本態様において、前記接続部材には、前記第二方向の一方側に突出する第一屈曲部と、前記第二方向の他方側に突出する第二屈曲部とが交互に配置された複数の前記屈曲部が形成されていてもよい。前記第一検出装置と前記第二検出装置とは、前記折曲部を前記第一向きに折り曲げて、前記第一検出面と前記第二検出面とが互いに近接し且つ対向する第一形態と、前記第一形態から更に前記折曲部を前記第二向きに折り曲げて、前記第一検出面と前記第二検出面とが離間する第二形態と、前記第二形態から更に前記折曲部を前記第二向きに折り曲げて、前記第一裏面と前記第二裏面とが互いに近接し且つ対向する第三形態とに配置可能であってもよい。情報入力装置は、第一検出装置と第二検出装置とを第一形態に配置し、第一検出装置と第二検出装置との間に記録媒体を挟むことで、持ち運びを容易とすることができる。また、情報入力装置は、第一検出装置と第二検出装置とを第二形態に配置することで、記録媒体の筆記面を露出させ、ユーザに筆記させることができる。更に、情報入力装置は、第一検出装置と第二検出装置とを第三形態に配置することで、第一検出装置および第二検出装置を折り畳んだ状態としながら、記録媒体の筆記面を露出させ、ユーザに筆記させることができる。各形態への変形において、複数の屈曲部が夫々規則的に屈曲することで、接続部材は伸縮し、第一検出装置と第二検出装置との位置関係の変化に追従できる。故に、接続部材は、第一検出装置と第二検出装置との電気的な接続を維持することができる。
【００１５】
本態様において、前記連結部材は、前記接続部材を保護する保護部材を更に備えてもよい。前記接続部材は、前記保護部材と前記折曲部との間に配置されてもよい。前記接続部材が収縮した状態において、前記第二方向における前記屈曲部の長さは、前記第二方向における前記保護部材と前記折曲部との間隙の長さ以下であってもよい。接続部材は、収縮によって屈曲部が屈曲した状態であっても、折曲部および保護部材に引っかかりにくいので、より確実に伸縮することができる。
【００１６】
本態様において、前記接続部材は、導電性を有し、且つ伸縮可能なゴム部材を含んで形成されてもよい。前記折曲部が前記第一向きに折り曲げられた場合、前記接続部材の長さは自然長よりも伸長された第一長さであってもよい。前記折曲部が前記第二向きに折り曲げられた場合、前記接続部材の長さは前記第一長さよりも収縮してもよい。接続部材は、ゴム部材の弾性により、記録媒体の開閉に伴って生じる第一検出装置と第二検出装置との間の距離の変化に応じて伸縮することができる。記録媒体の開閉が繰り返し行われても、接続部材は確実に伸縮することができるので、第一検出装置と第二検出装置との電気的な接続を維持することができる。
【００１７】
本態様において、前記連結部材は、前記接続部材を保護する保護部材を更に備えてもよい。前記接続部材は、前記保護部材と前記折曲部との間に配置されてもよい。接続部材は、保護部材と折曲部との間に配置されることによって露出しないので、破損を防止することができる。
【図面の簡単な説明】
【００１８】
【図１】情報入力装置１の全体構成図である。
【図２】ノート５が装着され、開かれた状態の情報入力装置１の斜視図である。
【図３】開かれた状態の外装カバー４の正面図である。
【図４】検出装置２Ｌ，２Ｒの分解斜視図である。
【図５】ハーネス５０の斜視図である。
【図６】ハーネス５０の製造過程を示す図である。
【図７】図３のＡ−Ａ線において矢視方向に見た第二形態における情報入力装置１の断面図である。
【図８】図３のＡ−Ａ線において矢視方向に見た第一形態における情報入力装置１の断面図である。
【図９】図３のＡ−Ａ線において矢視方向に見た第三形態における情報入力装置１の断面図である。
【図１０】ハーネス１５０の斜視図である。
【図１１】第二形態における情報入力装置１０１の断面図である。
【図１２】第一形態における情報入力装置１０１の断面図である。
【図１３】第三形態における情報入力装置１０１の断面図である。
【図１４】ハーネス２５０の斜視図である。
【図１５】第二形態における情報入力装置２０１の断面図である。
【図１６】第一形態における情報入力装置２０１の断面図である。
【図１７】第三形態における情報入力装置２０１の断面図である。
【図１８】ハーネス３５０の斜視図である。
【図１９】ハーネス４５０が接続された情報入力装置４０１の断面図である。
【図２０】ハーネス５５０の斜視図である。
【発明を実施するための形態】
【００１９】
以下、本発明の一実施の形態について、図面を参照して説明する。まず、図１〜図３を参照し、第一実施形態に係る情報入力装置１について説明する。以下の説明では、図２の上側、下側、左上側、右下側、右上側、左下側を、夫々、情報入力装置１の前側、後側、左側、右側、上側、下側と定義する。情報入力装置１の構成要素である外装カバー４と検出装置２Ｌ，２Ｒの方向は、便宜上、情報入力装置１が組み立てられた状態を基準に、情報入力装置１の方向に倣って定義する。同様に、情報入力装置１に装着するノート５の方向は、便宜上、ノート５が情報入力装置１に装着された状態を基準に、情報入力装置１の方向に倣って定義する。図１は、情報入力装置１が開閉される途中の状態を示す。図２は、情報入力装置１が開かれた状態を示す。
【００２０】
図１に示す情報入力装置１は、ユーザが携行可能なタブレット型の手書き入力装置である。情報入力装置１は、外装カバー４に、２つの板状の検出装置２Ｌ，２Ｒが組み付けられた状態で提供される。外装カバー４は、前側を見開き面側として左右方向に折り畳み（つまり、二つ折り）可能に構成され、左カバー部４Ｌおよび右カバー部４Ｒを含む。検出装置２Ｌは左カバー部４Ｌに配置され、検出装置２Ｒは右カバー部４Ｒに配置される。ユーザは、冊子状の記録媒体、例えばノート５を検出装置２Ｌ，２Ｒに装着し、電子ペン６でノート５に情報を記入する。情報入力装置１は、検出装置２Ｌ，２Ｒを用いて、ノート５に記入された情報を読み取ることができる。電子ペン６は、ノート５にインクで情報（文字、記号、図形、数字等）を記入可能、且つ、記入された情報を検出装置２Ｌ，２Ｒに入力可能な筆記具である。電子ペン６は、内部に、周知の共振（同調）回路を構成する可変容量コンデンサ、コイル等（図示略）を備える。検出装置２Ｌ，２Ｒは、公知の電磁誘導方式で、電子ペン６が近接した時、電子ペン６の位置を検出可能である。
【００２１】
図１、図２に示すように、検出装置２Ｌ，２Ｒは、前面にノート５を固定可能に構成される。具体的には、検出装置２Ｌ，２Ｒは、前面に、ノート５の左右の表紙５Ｌ，５Ｒを固定する際の位置決めを担う凹状の位置決め部２３Ｌ，２３Ｒを夫々有する。位置決め部２３Ｌは、上方、左方および下方に段差を有し、右方には段差を有しない。位置決め部２３Ｌの上方、左方および下方の段差は、ノート５の左表紙５Ｌの上方、左方および下方の縁部に接触することで、ノート５を検出装置２Ｌに対して位置決めする。位置決め部２３Ｌは、凹部内で右辺近傍位置に、微粘着性の接着部２２Ｌ（図１参照）を有する。接着部２２Ｌは、ノート５の左表紙５Ｌを、容易に剥離可能な状態で、位置決め部２３Ｌに接着固定する。検出装置２Ｌの前面において、位置決め部２３Ｌを構成する凹部の底面の部分を、便宜上、検出面２１Ｌと呼ぶ。検出装置２Ｌは、検出面２１Ｌに近接する電子ペン６の位置を検出する。
【００２２】
位置決め部２３Ｒは、上方、右方および下方に段差を有し、左方には段差を有しない。位置決め部２３Ｒの上方、右方および下方の段差は、ノート５の右表紙５Ｒの上方、右方および下方の縁部に接触することで、ノート５を検出装置２Ｒに対して位置決めする。位置決め部２３Ｒは、凹部内で左辺近傍位置に微粘着性の接着部２２Ｒ（図１参照）を有する。接着部２２Ｒは、ノート５の右表紙５Ｒを、容易に剥離可能な状態で、位置決め部２３Ｒに接着固定する。検出装置２Ｒの前面において、位置決め部２３Ｒを構成する凹部の底面の部分を、便宜上、検出面２１Ｒと呼ぶ。検出装置２Ｒは、検出面２１Ｒに近接する電子ペン６の位置を検出する。
【００２３】
図３に示すように、外装カバー４は、折り曲げられていない状態では、左右方向に長い矩形状の板状体である。外装カバー４は、検出装置２Ｌを保持する左カバー部４Ｌと、検出装置２Ｒを固定する右カバー部４Ｒと、左カバー部４Ｌと右カバー部４Ｒとを左右中央で連結する折曲部４Ｃとを含む。外装カバー４は、外力に応じて変形可能な柔軟性を有する素材（例えば合成皮革またはナイロン（nylon））で作製される。折曲部４Ｃは、上下方向に延びる軸線ＡＸ（図２参照）に沿って、前面を内側にして折り曲げることができる。即ち、外装カバー４は、折曲部４Ｃを折り曲げることで、検出装置２Ｌの検出面２１Ｌと、検出装置２Ｒの検出面２１Ｒとが近接し且つ対向する第一向きＷ１（図２参照）に折り畳むことができる。以下では、折曲部４Ｃが第一向きＷ１に折り曲げられて、検出面２１Ｌと検出面２１Ｒとが近接し且つ対向する状態における検出面２１Ｌと検出装置２Ｒの配置形態を、便宜上、第一形態（図８参照）とよぶ。
【００２４】
また、折曲部４Ｃは、軸線ＡＸに沿って、後面を内側にして折り曲げることも可能である。即ち、外装カバー４は、折曲部４Ｃを折り曲げることで、検出装置２Ｌの後面２６Ｌと、検出装置２Ｒの後面２６Ｒ（図４参照）とが近接し且つ対向する第二向きＷ２（図２参照）に折り畳むこともできる。折曲部４Ｃが第二向きＷ２に折り曲げられて、後面２６Ｌと後面２６Ｒとが近接し且つ対向する状態における検出面２１Ｌと検出装置２Ｒの配置形態を、便宜上、第三形態（図９参照）とよぶ。
【００２５】
また、第一形態と第三形態との間の配置形態であり、検出面２１Ｌと検出面２１Ｒとが離間する状態、即ち、情報入力装置１を見開いた状態における検出装置２Ｌと検出装置２Ｒの配置形態を、便宜上、第二形態（図７参照）とよぶ。なお、便宜上、第二形態における情報入力装置１は、検出装置２Ｌと検出装置２Ｒとが左右に並び、検出面２１Ｌと検出面２１Ｒとが夫々前側を向く形態であるものとする。情報入力装置１は、主に使用時に第二形態または第三形態にされ、主に運搬時に第一形態にされる。
【００２６】
外装カバー４は、右カバー部４Ｒに、検出装置２Ｒを固定するための固定シート４１Ｒを有する。固定シート４１Ｒは、上辺、右辺および下辺の三辺が外装カバー４の縁部４５に織り込まれ、左辺が折曲部４Ｃに織り込まれることで、外装カバー４に固定される。検出装置２Ｒは、例えば両面粘着テープ等で後面２６Ｒ（図４参照）が固定シート４１Ｒに接着されることで、外装カバー４に固定される。固定シート４１Ｒは中央部に開口４２を有する。検出装置２Ｒの後面２６Ｒは、電池の装着部（図示略）を有する。電池の装着部は、開口４２内に配置される。図示しないが、外装カバー４は後面に、面ファスナーを用いて開閉可能なカバー体（図示略）を備える。ユーザは、カバー体を開くことで、検出装置２Ｒを外装カバー４から取り外さなくてもバッテリ（図示略）交換が可能である。
【００２７】
外装カバー４は、左カバー部４Ｌに、検出装置２Ｌを保持する保持シート４１Ｌを有する。保持シート４１Ｌは、例えば透明の軟質塩化ビニールシートである。保持シート４１Ｌは、上辺、左辺および下辺の三辺が外装カバー４の縁部４５に織り込まれ、右辺は開放されている。検出装置２Ｌは、保持シート４１Ｌの右辺側から保持シート４１Ｌと外装カバー４の本体部との間に挿入される。検出装置２Ｌは、右端部が保持シート４１Ｌの右辺から右方に突出した状態で、保持シート４１Ｌに保持される。詳細は後述するが、検出装置２Ｌは、後面２６Ｌ（図４参照）側にスライダ６０を備える。スライダ６０は、検出装置２Ｌの本体部に対して左右方向にスライド可能に構成される。外装カバー４の左カバー部４Ｌには、左右方向に並んで２つの鳩目穴４３が形成される。スライダ６０の後面には、鳩目穴４３に夫々係合する２つの突部（図示略）が設けられる。２つの突部が２つの鳩目穴４３に夫々係合することによって、スライダ６０は、左カバー部４Ｌに固定される。検出装置２Ｌは、外装カバー４の左カバー部４Ｌに対して左右方向にスライド可能な状態で、保持シート４１Ｌに保持される。
【００２８】
外装カバー４は、折曲部４Ｃの前面側に、上下方向に延び、折曲部４Ｃを覆う太幅の帯状体４４を備える。帯状体４４は、上下に張られた状態で上下両端が外装カバー４の上下の縁部４５に夫々織り込まれる。帯状体４４は、折曲部４Ｃの前面との間に間隙（図７参照）を有する。後述するが、検出装置２Ｌ，２Ｒを接続するハーネス５０は、帯状体４４と折曲部４Ｃの前面との間に通される。外装カバー４が開いた状態の時、帯状体４４はハーネス５０を覆い隠す。また、図示しないが、外装カバー４は、バッテリのカバー体を閉じた状態に支え、栞等の用途にも使用可能なバンド、電子ペン６のスライダ、資料等を収納可能なポケット等を備える。
【００２９】
図４を参照し、検出装置２Ｌ，２Ｒの構造について説明する。検出装置２Ｌ，２Ｒは、前述したように、公知の電磁誘導方式で、電子ペン６が近接した時に、その位置を検出することが可能な装置である。検出装置２Ｌ，２Ｒは、正面視で上下方向に長い矩形状であり、且つ前後方向の厚みが小さい箱状体である。
【００３０】
図４に示すように、検出装置２Ｒは、前カバー８Ｒおよび後カバー９Ｒを備える。前カバー８Ｒおよび後カバー９Ｒは、上下方向に長い略矩形状の樹脂板である。前述の位置決め部２３Ｒは、前カバー８Ｒの前面に設けられる。後述するデジタイザ基板７Ｒによる電子ペン６の近接位置の検出は、検出面２１Ｒにて行われる。前カバー８Ｒおよび後カバー９Ｒを組み合わせると、内部に収容空間を有する箱状体が形成される。
【００３１】
検出装置２Ｒは、前カバー８Ｒおよび後カバー９Ｒの間に、デジタイザ基板７Ｒと、制御基板７１Ｒと、メイン基板１０とを収容する。デジタイザ基板７Ｒは、電子ペン６の近接位置を検出するよう構成される。制御基板７１Ｒは、デジタイザ基板７Ｒに流す電流を制御するよう構成される。メイン基板１０には、情報入力装置１の制御を司るＣＰＵ（図示略）が搭載される。メイン基板１０は、電源スイッチ、発光素子、通信部など、各種スイッチ、コネクタ等の部品（図示略）を備える。これらの部品は、前カバー８Ｒの右上端部に設けられた収容部７９に収容される。メイン基板１０のＣＰＵは、近傍に位置するＰＣ等の外部装置（図示略）と無線や有線による通信が可能である。メイン基板１０は制御基板７１Ｒと電気的に接続する。制御基板７１Ｒは、デジタイザ基板７Ｒ後面の下端部に、デジタイザ基板７Ｒと一体に設けられる。
【００３２】
デジタイザ基板７Ｒは、Ｘ軸方向（具体的には左右方向）およびＹ軸方向（具体的には上下方向）の各々に細長いループコイルが多数配列された基板である。制御基板７１Ｒは、ループコイルの一本ずつに特定周波数の電流（励磁用送信電流）を流して磁界を発生させる。その結果、デジタイザ基板７Ｒに近接する電子ペン６の共振回路は、誘導磁界を生ずる。誘導磁界によってループコイルに電流（信号電流）が流れる。制御基板７１Ｒは、ループコイルに流れる信号電流を検出する。メイン基板１０のＣＰＵは、制御基板７１Ｒが検出した信号電流に基づいて電子ペン６の位置座標を経時的に求める。ＣＰＵは、位置座標に基づいて電子ペン６の軌跡を示すストロークデータを生成する。ＣＰＵは、ストロークデータを、情報入力装置１に接続された外部装置（ＰＣ等）に対して出力する。
【００３３】
検出装置２Ｌは、検出装置２Ｒと同様に、前カバー８Ｌおよび後カバー９Ｌを備える。前カバー８Ｌおよび後カバー９Ｌは、上下方向に長い略矩形状の樹脂板である。前述の位置決め部２３Ｌは、前カバー８Ｌの前面に設けられる。後述するデジタイザ基板７Ｌによる電子ペン６の近接位置の検出は、検出面２１Ｌにて行われる。詳細は図示しないが、前カバー８Ｌの左端部を除く上下両端部は、夫々、後面側に折り返した状態に形成される。後カバー９Ｌは、左端部を除く上下両端部に沿って形成された切欠き部を有する。切欠き部は、検出装置２Ｌの組み立て時に、前カバー８Ｌのうち後面側に折り返された部分に係合する。前カバー８Ｌおよび後カバー９Ｌを組み合わせると、内部に収容空間を有する箱状体が形成される。
【００３４】
検出装置２Ｌは、前カバー８Ｌおよび後カバー９Ｌの間に、デジタイザ基板７Ｌと、制御基板７１Ｌとを収容する。デジタイザ基板７Ｌは、電子ペン６の近接位置を検出するよう構成される。制御基板７１Ｌは、デジタイザ基板７Ｌに流す電流を制御するよう構成される。制御基板７１Ｌは、デジタイザ基板７Ｌの後面の下端部に、デジタイザ基板７Ｌと一体に設けられる。デジタイザ基板７Ｌおよび制御基板７１Ｌは、検出装置２Ｒのデジタイザ基板７Ｒおよび制御基板７１Ｒと同様の構成であり、公知の電磁誘導方式による電子ペン６の近接位置を検知することができる。デジタイザ基板７Ｌの右縁部、左上の角部および左下の角部には、静電気等からデジタイザ基板７Ｌを保護する絶縁部材７２が設けられる。
【００３５】
制御基板７１Ｒと制御基板７１Ｌとは、ハーネス５０によって接続される。ハーネス５０は、制御基板７１Ｒと制御基板７１Ｌとを電気的に接続するためのパターンが形成されたフレキシブル基板である。つまり、ハーネス５０は、複数の導電路が形成された可撓性を有する絶縁フィルムである。ハーネス５０の一端側の端子部５１Ａ（図５参照）は制御基板７１Ｒのコネクタ部７３Ｒに接続し、他端側の端子部５２Ａ（図５参照）は制御基板７１Ｌのコネクタ部７３Ｌに接続する。ハーネス５０の詳細については後述する。
【００３６】
上述のように、左カバー部４Ｌ（図１参照）は、検出装置２Ｌを左右方向にスライド可能に保持する。右カバー部４Ｒ（図１参照）は、検出装置２Ｒを固定する。即ち、外装カバー４は、開かれた状態（第二形態）において、検出装置２Ｌを、検出装置２Ｒに対して近接する方向および離間する方向に移動可能に保持する。制御基板７１Ｒと制御基板７１Ｌとを接続するスライダ６０は、検出装置２Ｌを検出装置２Ｒに対して移動可能な構成とするため、以下のように構成される。スライダ６０は、本体部６１と２つの鍔部６５とを含む。本体部６１は、左右方向に長い箱形状である。本体部６１の後面には、後方へ向けて突出する２つの突部（図示略）が形成される。前述したように、２つの突部は、左カバー部４Ｌに形成された２つの鳩目穴４３に夫々係合する。２つの鍔部６５は、夫々、本体部６１の上側および下側に突出する。
【００３７】
後カバー９Ｌは、上下方向の中央よりも下方、且つ左右方向の中央よりも右方に、前後方向に貫通する開口部９１を備える。開口部９１は左右方向に長い略矩形状である。後カバー９Ｌは、前面に、開口部９１の周囲に形成された凹部９６を有する。スライダ６０の本体部６１は、開口部９１内に配置される。本体部６１は、開口部９１の上側の端部と下側の端部とによって、上下方向への移動が規制される。凹部９６は、スライダ６０の鍔部６５に係合し、スライダ６０を左右方向にスライド可能に支持する。本体部６１が開口部９１内に配置された時、鍔部６５の後面は凹部９６の前面に接触し、鍔部６５の前面はデジタイザ基板７Ｌの後面に接触する。スライダ６０は、左右方向において、本体部６１と開口部９１との長さの差異分、移動可能である。
【００３８】
前述したように、ハーネス５０は、可撓性を有する絶縁フィルムに複数の通電パターンが形成されたフレキシブル基板である。図５に示すように、ハーネス５０は、第二方向に厚みを有し、第三方向を幅方向として第一方向に延びる。なお、情報入力装置１の第二形態（図７参照）において、ハーネス５０は、第一方向を左右方向に沿わせ、第二方向を前後方向に沿わせ、第三方向を上下方向に沿わせて配置される。また、情報入力装置１の第一形態（図８参照）において、ハーネス５０は、第二方向の一方側の面を内面側にして折り畳まれる。以下の説明においては、便宜上、ハーネス５０の第二方向一方側の面（図５における上側の面）をハーネス５０の表面５０Ａとし、第二方向他方側の面（図５における下側の面）を裏面５０Ｂとして説明する。ハーネス５０は、右側接続部５１、左側接続部５２、中間部５３を含む。
【００３９】
右側接続部５１は、ハーネス５０の第一方向他方側の端部に設けられた端子部５１Ａを含む。右側接続部５１は、端子部５１Ａから第一方向一方側へ延びる部位である。端子部５１Ａは、第三方向の幅（長さ）が右側接続部５１における第一方向一方側の部位と比べ、小さく形成される。端子部５１Ａは、制御基板７１Ｒのコネクタ部７３Ｒ（図４参照）に、左側から差し込んで接続する。右側接続部５１の裏面５０Ｂには、右側接続部５１の形状に合わせて形成された補助板５１Ｂが貼設される。補助板５１Ｂは、端子部５１Ａの剛性を高める。端子部５１Ａがコネクタ部７３Ｒに差し込まれる時、補助板５１Ｂは、端子部５１Ａに差し込み方向以外の力が加わるのを防ぐ。故に端子部５１Ａは、コネクタ部７３Ｒとの間で接触不良を生じにくい。
【００４０】
左側接続部５２は、ハーネス５０の第一方向一方側の端部に設けられた端子部５２Ａを含む。左側接続部５２は、端子部５２Ａから第一方向他方側へ延びる部位である。左側接続部５２は、右側接続部５１の第一方向一方側に位置する。端子部５２Ａは、第三方向の幅（長さ）が左側接続部５２における第一方向他方側の部位と比べ、小さい。端子部５２Ａは、制御基板７１Ｌのコネクタ部７３Ｌに、右側から差し込んで接続する。左側接続部５２の裏面５０Ｂにも、上記同様の補助板５２Ｂが貼設される。端子部５２Ａは、補助板５２Ｂによって剛性が高められる。故に端子部５２Ａは、コネクタ部７３Ｌへの差し込み時に、補助板５２Ｂによって差し込み方向以外の力が加わらないように防御されるので、コネクタ部７３Ｒとの間で接触不良を生じにくい。
【００４１】
中間部５３は、右側接続部５１と左側接続部５２との間で第一方向に延びる部位である。中間部５３は、検出装置２Ｒと検出装置２Ｌとの間を電気的に繋ぐ。中間部５３には、複数の湾曲部５３Ａと複数の湾曲部５３Ｂとが、第一方向において交互に形成される。湾曲部５３Ａの形状は、第三方向に直交する断面（以下では、単に「第三方向断面」ともいう。）において、第二方向一方側、即ち表面５０Ａ側に突出し、湾曲しながら折り返す形状である。湾曲部５３Ｂの形状は、第三方向断面において、第二方向他方側、即ち裏面５０Ｂ側に突出し、湾曲しながら折り返す形状である。中間部５３の第三方向断面の形状は波型であり、例えば、前後方向に振幅を有し、左右方向に伝播する正弦波の形状である。第三方向断面における中間部５３の外形線は、湾曲部５３Ａ，５３Ｂにおいて、接線方向が絶えず変化する。即ち、湾曲部５３Ａ，５３Ｂは、夫々、折り目が付けられずに円弧形状に湾曲する。
【００４２】
中間部５３は、湾曲部５３Ａ，５３Ｂにおいて、第三方向断面における外形線の曲率が変化することによって、第一方向に伸縮することができる。言い換えると、中間部５３は、湾曲部５３Ａにおける内周側の面、即ち裏面５０Ｂの開き角度が変化し、両端に夫々接続する２つの湾曲部５３Ｂ，５３Ｂ間の距離が離間および近接することによって、第一方向に伸縮できる。同様に、中間部５３は、湾曲部５３Ｂにおける内周側の面、即ち表面５０Ａの開き角度が変化し、両端に夫々接続する２つの湾曲部５３Ａ，５３Ａ間の距離が離間および近接することによって、第一方向に伸縮できる。以下の説明において、第三方向断面における湾曲部５３Ａ，５３Ｂの曲率が小さくなる状態、即ち湾曲部５３Ａ，５３Ｂの内周側の面の開き角度が大きくなる状態を、便宜上、湾曲部５３Ａ，５３Ｂが開いた状態という。また、第三方向断面における湾曲部５３Ａ，５３Ｂの曲率が大きくなる状態、即ち湾曲部５３Ａ，５３Ｂの内周側の面の開き角度が小さくなる状態を、便宜上、湾曲部５３Ａ，５３Ｂが閉じた状態という。
【００４３】
中間部５３は、湾曲部５３Ａが開いた状態となり、湾曲部５３Ｂが閉じた状態となることで、表面５０Ａを内面側にしてハーネス５０を折り畳むことができる。同様に、中間部５３は、湾曲部５３Ａが閉じた状態となり、湾曲部５３Ｂが開いた状態となることで、表面５０Ａを外面側にしてハーネス５０を折り畳むことができる。
【００４４】
このような形状のハーネス５０は、以下のように作製することができる。図６に示すように、上型８１と下型８２とが一対となった金型８０を作製する。上型８１には、夫々第三方向に延びる凸部８１Ａと凹部８１Ｂとが交互に形成される。凸部８１Ａは、第三方向断面において第二方向他方側へ突出し、先端部の外周面が円弧状に湾曲する。凹部８１Ｂは、２つの凸部８１Ａ間で第二方向一方側に凹んで形成され、内周面が第三方向断面で円弧状に湾曲する。下型８２にも、夫々第三方向に延びる凸部８２Ａと凹部８２Ｂとが交互に形成される。凸部８２Ａは、第三方向断面において第二方向一方側へ突出し、先端部の外周面が円弧状に湾曲する。凹部８２Ｂは、２つの凸部８２Ａ間で第二方向他方側に凹んで形成され、内周面が第三方向断面で円弧状に湾曲する。上型８１と下型８２の係合時、凸部８１Ａは凹部８２Ｂに係合し、凹部８１Ｂは凸部８２Ａに係合する。金型８０は、上型８１と下型８２との間にハーネス５０を挟んでプレスする。凸部８１Ａと凹部８２Ｂとに挟まれた部分には、湾曲部５３Ｂが形成される。凹部８１Ｂと凸部８２Ａとに挟まれた部分には、湾曲部５３Ａが形成される。湾曲部５３Ａ，５３Ｂの円弧形状は、上型８１と下型８２とからハーネス５０が外された後も維持される。
【００４５】
第一方向における中間部５３の伸張時の長さと収縮時の長さとの差を大きくしたい場合、ハーネス５０を作製する際に、より厚みの薄い絶縁フィルムを採用するとよい。絶縁フィルムは、厚みが薄いほど、湾曲部５３Ａ，５３Ｂが閉じた状態における第三方向断面の曲率を、より大きくすることができる。また、湾曲部５３Ａ，５３Ｂ形成前の状態におけるハーネス５０の第一方向の長さは、コネクタ部７３Ｌとコネクタ部７３Ｒとが、ハーネス５０を配置する経路に沿って最も離れた場合の距離よりも長く設定するとよい。コネクタ部７３Ｌとコネクタ部７３Ｒとは、例えば、情報入力装置１が第一形態になる場合に、ハーネス５０を配置する経路に沿って最も離れて配置される。
【００４６】
情報入力装置１は、以下のように、検出装置２Ｌ，２Ｒがハーネス５０で接続されて、組み立てられる。ハーネス５０の左側接続部５２の端子部５２Ａは、補助板５２Ｂに保護された状態で、検出装置２Ｌのコネクタ部７３Ｌに右側から差し込まれる。スライダ６０の凸部（図示略）が左カバー部４Ｌの鳩目穴４３に係合され、検出装置２Ｌが外装カバー４に取り付けられる。右側接続部５１の端子部５１Ａは、帯状体４４と折曲部４Ｃの前面との間隙（図７参照）に通され、右カバー部４Ｒ側に引き出される。端子部５１Ａは、補助板５１Ｂに保護された状態で、検出装置２Ｒのコネクタ部７３Ｒに左側から差し込まれる。後面２６Ｒが右カバー部４Ｒの固定シート４１Ｒに接着され、検出装置２Ｒが外装カバー４に取り付けられる。ハーネス５０は、帯状体４４と折曲部４Ｃとの間に配置され、ノート５よりも前側に飛び出さない。
【００４７】
前述したように、情報入力装置１は、外装カバー４の開閉によって、検出面２１Ｌと検出装置２Ｒの配置形態を、第一形態、第二形態および第三形態の各形態にすることができる。なお、図９に示すように、第三形態において、検出装置２Ｌの検出面２１Ｌ（図１参照）と、検出装置２Ｒの検出面２１Ｒ（図１参照）とは、前後方向に離れて配置される。故に、情報入力装置１が第一形態または第二形態のようにノート５を保持したまま第三形態になることは、難しい場合がある。このような場合、情報入力装置１は、例えば、ノート５の左表紙５Ｌを位置決め部２３Ｌから一旦外してから、第三形態になるとよい。ノート５は、情報入力装置１が第三形態になった後、左表紙５Ｌを位置決め部２３Ｌに貼り直すことで、情報入力装置１に装着された状態に戻すことができる。また、情報入力装置１は、例えば、ノート５の代わりにレポート用紙等、冊子状ではない記録媒体が検出装置２Ｒまたは検出装置２Ｌの一方にのみ装着された場合であれば、容易に第三形態になることが可能である。或いは、例えば、右表紙５Ｒのみが検出装置２Ｒに固定され、左表紙５Ｌが固定されない状態で情報入力装置１にノート５が装着された場合であっても、情報入力装置１は、容易に第三形態になることが可能である。
【００４８】
図７に示すように、情報入力装置１の第二形態において、ハーネス５０は、左側に配置される検出装置２Ｌのコネクタ部７３Ｌと、右側に配置される検出装置２Ｒのコネクタ部７３Ｒとの間で配線される。ハーネス５０の中間部５３は、左側のコネクタ部７３Ｌから右方且つ後方へ向けて延び、帯状体４４と折曲部４Ｃとの間隙内で右方へ向けて延び、右側のコネクタ部７３Ｒに向けて右方且つ前方へ向けて延びる経路に沿って配置される。第二形態において中間部５３が延びる長さＦ１２は、コネクタ部７３Ｌとコネクタ部７３Ｒとが左右方向に離れる距離より僅かに長い。中間部５３は、ハーネス５０の作製時の長さよりも僅かに長く伸張される。中間部５３は、更に伸張可能な状態である。湾曲部５３Ａ，５３Ｂは、夫々、円弧形状を維持する。
【００４９】
図８に示すように、情報入力装置１の第一形態において、ハーネス５０は、コネクタ部７３Ｌと、コネクタ部７３Ｌの後側に配置されるコネクタ部７３Ｒとの間で配線される。ハーネス５０の中間部５３は、前側のコネクタ部７３Ｌから左方へ向けて延び、帯状体４４と折曲部４Ｃとの間隙内で後方へ向けて左方に突出する湾曲形状に沿って折り返し、後側のコネクタ部７３Ｒに向けて右方へ延びる経路に沿って配置される。ハーネス５０は、中間部５３における表面５０Ａを内面側にして折り畳まれ、右側接続部５１における表面５０Ａと左側接続部５２における表面５０Ａとが対向して配置された状態になる。第一形態において中間部５３が延びる長さＦ１１は、第二形態における中間部５３の長さＦ１２よりも長い。即ち、中間部５３は、第二形態よりも伸長された状態で配置される。湾曲部５３Ａ，５３Ｂは、夫々開いた状態になる。湾曲部５３Ａ，５３Ｂ形成前の中間部５３の長さは、長さＦ１１よりも長く設定される。故に、第一形態において、湾曲部５３Ａ，５３Ｂは夫々円弧形状を維持する。
【００５０】
図９に示すように、情報入力装置１の第三形態において、ハーネス５０は、コネクタ部７３Ｌと、コネクタ部７３Ｌの前側に配置されるコネクタ部７３Ｒとの間で配線される。ハーネス５０の中間部５３は、前側のコネクタ部７３Ｒから左方へ向けて延び、帯状体４４と折曲部４Ｃとの間隙内で後方へ向けて左方に突出する湾曲形状に沿って折り返し、後側のコネクタ部７３Ｌに向けて右方へ延びる経路に沿って配置される。ハーネス５０は、中間部５３における裏面５０Ｂを内面側にして折り畳まれ、右側接続部５１における裏面５０Ｂと左側接続部５２における裏面５０Ｂとが対向して配置された状態になる。第三形態において中間部５３が延びる長さＦ１３は、第二形態における中間部５３の長さＦ１２よりも短い。即ち、中間部５３は、第二形態よりも収縮された状態で配置される。湾曲部５３Ａ，５３Ｂは、夫々閉じた状態になる。湾曲部５３Ａ，５３Ｂに折り目は形成されておらず、湾曲部５３Ａ，５３Ｂは第三形態、即ち中間部５３が収縮した状態においても、夫々円弧形状を維持する。
【００５１】
第三形態における湾曲部５３Ａ，５３Ｂの第二方向の長さをＥ１とする。長さＥ１は、例えば、第三方向断面における湾曲部５３Ａの突出先端即ち変曲点の位置と、その湾曲部５３Ａに接続する湾曲部５３Ｂの突出先端即ち変曲点の位置との間の第二方向の長さである。長さＥ１は、第三形態における帯状体４４と折曲部４Ｃとの間隙の第二方向の長さＤよりも小さい。収縮時、即ち第三形態における湾曲部５３Ａ，５３Ｂの第二方向の長さＥ１は、伸張時、即ち第一形態および第二形態における湾曲部５３Ａ，５３Ｂの第二方向の長さよりも長い。つまり、ハーネス５０の中間部５３は、湾曲部５３Ａ，５３Ｂの大きさが、収縮時において帯状体４４と折曲部４Ｃとの間隙内に収まる大きさに設定される。故にハーネス５０は、帯状体４４と折曲部４Ｃとの間隙において圧縮されにくく、負荷を受けにくい。
【００５２】
このように、ハーネス５０の中間部５３は、第二形態の場合に、第一形態の伸張された状態よりも小さく伸張され、第三形態の収縮された状態よりも大きく伸張される。故に、第二形態においてハーネス５０にかかる負荷は、第一形態および第三形態においてハーネス５０にかかる負荷よりも小さく、無負荷の状態に近い。情報入力装置１の第一形態は、運搬時或いは収納時の形態である。このため、情報入力装置１は、第二形態および第三形態よりも、第一形態にされることが多い。つまり、ハーネス５０は、第二形態の場合よりも大きな負荷が掛かった状態となることが多い。上記したように、第一形態においても湾曲部５３Ａ，５３Ｂが夫々円弧形状を維持するように、中間部５３の長さが設定されることで、情報入力装置１は、ハーネス５０にかかる負荷を軽減することができる。
【００５３】
そして、上記構成のハーネス５０およびスライダ６０を設けることで、情報入力装置１は、検出装置２Ｌを検出装置２Ｒに対して近接する方向または離間する方向に移動することができる。ユーザは、情報入力装置１にノート５を装着する時、ノート５の左表紙５Ｌを、保持シート４１Ｌの右辺側から挿入し、検出装置２Ｌの位置決め部２３Ｌに配置する。接着部２２Ｌにより、ノート５の左表紙５Ｌが位置決め部２３Ｌに固定される。次にユーザは、ノート５の右表紙５Ｒを検出装置２Ｒの位置決め部２３Ｒに配置する。この時、ユーザは、検出装置２Ｌをノート５と共に左右方向に移動することができる。左表紙５Ｌが先に検出装置２Ｌに固定されたことで、ノート５の移動範囲には制約が生じる。しかし、情報入力装置１では、上記のように、検出装置２Ｒに対する検出装置２Ｌの位置決めの自由度が確保される。従って、ユーザは、ノート５の右表紙５Ｒを容易に位置決め部２３Ｒに配置することができる。接着部２２Ｒにより、ノート５の右表紙５Ｒが位置決め部２３Ｒに固定されることで、ノート５の装着が完了する。
【００５４】
以上説明したように、第一実施形態において、検出装置２Ｌと検出装置２Ｒを夫々保持する左カバー部４Ｌと右カバー部４Ｒは、検出装置２Ｌと検出装置２Ｒとを相対的に移動させ、検出装置２Ｌと検出装置２Ｒとを近接および離間させることができる。故に、ノート５が開閉された場合に、検出装置２Ｌと検出装置２Ｒは、夫々、ノート５の左表紙５Ｌと右表紙５Ｒの位置に合わせて相対的に移動することができる。情報入力装置１は、ノート５との位置合わせにおいてノート５に負荷を掛けず、ノート５が折れ曲がることを防止できる。
【００５５】
ハーネス５０は、伸縮することによって、折曲部４Ｃの曲げに伴う検出装置２Ｌと検出装置２Ｒとの位置関係の変化に追従できる。故に、ハーネス５０は、検出装置２Ｌと検出装置２Ｒとが相対的に移動しても、検出装置２Ｌと検出装置２Ｒとの電気的な接続を維持することができる。
【００５６】
また、ハーネス５０は、湾曲部５３Ａ，５３Ｂの曲率が変化し、開き角度が広がったり狭くなったりする動作によって伸縮する。ノート５の開閉が繰り返し行われ、検出装置２Ｌと検出装置２Ｒとの間の距離が繰り返し変化しても、ハーネス５０は確実に伸縮することができるので、検出装置２Ｌと検出装置２Ｒとの電気的な接続を維持することができる。また、ハーネス５０の伸縮が湾曲部５３Ａ，５３Ｂの曲率変化によって行われるため、ハーネス５０は、湾曲部５３Ａ，５３Ｂの変形に掛かる負荷を低減することができ、耐久性を向上させることができる。
【００５７】
また、第二方向において、収縮時の湾曲部５３Ａ，５３Ｂの大きさは、帯状体４４と折曲部４Ｃとの間隙の大きさ以下である。故にハーネス５０は、収縮によって湾曲部５３Ａ，５３Ｂが湾曲した状態であっても、折曲部４Ｃおよび帯状体４４に引っかかりにくいので、より確実に伸縮することができる。
【００５８】
また、第三方向断面において、湾曲部５３Ａ，５３Ｂは、収縮時においても円弧形状を維持する。故にハーネス５０は、収縮によって湾曲部５３Ａ，５３Ｂが湾曲した状態であっても、変曲点に係る負荷が分散されるので、耐久性を向上させることができる。
【００５９】
情報入力装置１は、検出装置２Ｌと検出装置２Ｒとを第一形態に配置し、検出装置２Ｌと検出装置２Ｒとの間にノート５を挟むことで、持ち運びを容易とすることができる。また、情報入力装置１は、検出装置２Ｌと検出装置２Ｒとを第二形態に配置することで、ノート５の筆記面を露出させ、ユーザに筆記させることができる。更に、情報入力装置１は、検出装置２Ｌと検出装置２Ｒとを第三形態に配置することで、検出装置２Ｌおよび検出装置２Ｒを折り畳んだ状態としながら、ノート５の筆記面を露出させ、ユーザに筆記させることができる。各形態への移行において、複数の湾曲部５３Ａ，５３Ｂが夫々曲率を変更することで、ハーネス５０は伸縮し、検出装置２Ｌと検出装置２Ｒとの位置関係の変化に追従できる。故に、ハーネス５０は、検出装置２Ｌと検出装置２Ｒとの電気的な接続を維持することができる。
【００６０】
次に、本発明の第二実施形態について、図１０〜図１３を参照して説明する。第二実施形態に係る情報入力装置１０１（図１１参照）の構成は、ハーネス１５０の構成が第一実施形態と異なり、それ以外の部分については第一実施形態と同様の構成である。従って、以下では、ハーネス１５０の構成について説明し、それ以外の部分についての説明は簡略化または省略する。
【００６１】
図１０に示す、ハーネス１５０は、第一実施形態と同様に、可撓性を有する絶縁フィルムに複数の通電パターンが形成されたフレキシブル基板である。ハーネス１５０は、第二方向に厚みを有し、第三方向を幅方向として第一方向に延びる。ハーネス１５０は、右側接続部１５１、左側接続部１５２、中間部１５３を含む。
【００６２】
右側接続部１５１は、ハーネス１５０の第一方向他方側の端部に設けられた端子部１５１Ａを含み、端子部１５１Ａから第一方向一方側へ延びる部位である。右側接続部１５１は、端子部１５１Ａにおける第三方向の幅（長さ）が、その他の部分における幅よりも小さい。端子部１５１Ａは、コネクタ部７３Ｒ（図４参照）に左側から差し込んで接続する。右側接続部１５１における裏面１５０Ｂには、第一実施形態と同様の補助板１５１Ｂが貼設され、端子部１５１Ａの剛性が高められる。
【００６３】
左側接続部１５２は、ハーネス１５０の第一方向一方側の端部に設けられた端子部１５２Ａを含み、端子部１５２Ａから第一方向他方側へ延びる部位である。左側接続部１５２も、端子部１５２Ａにおける第三方向の幅（長さ）が、その他の部分における幅よりも小さい。端子部１５２Ａは、コネクタ部７３Ｌ（図４参照）に右側から差し込んで接続する。左側接続部１５２における裏面１５０Ｂにも補助板１５２Ｂが貼設され、端子部１５２Ａの剛性が高められる。
【００６４】
中間部１５３は、右側接続部１５１と左側接続部１５２との間で第一方向に延び、検出装置２Ｒと検出装置２Ｌとの間を電気的に繋ぐ部位である。中間部１５３には、複数の屈曲部１５３Ａと複数の屈曲部１５３Ｂとが、第一方向において交互に形成される。屈曲部１５３Ａは、例えば表面１５０Ａ上で第三方向に延びる仮想線に沿って、表面１５０Ａ側を山折りにして中間部１５３を折り曲げることによって形成された部分である。同様に、屈曲部１５３Ｂは、例えば表面１５０Ａ上で第三方向に延びる仮想線に沿って、表面１５０Ａ側を谷折りにして中間部１５３を折り曲げることによって形成された部分である。屈曲部１５３Ａは、第三方向断面において、第二方向一方側、即ち表面１５０Ａ側に突出する。屈曲部１５３Ｂは、第三方向断面において、第二方向他方側、即ち裏面１５０Ｂ側に突出する。つまり、中間部１５３の第三方向断面の形状も波型であり、例えば、前後方向に振幅を有し、左右方向に伝播する三角波の形状である。
【００６５】
中間部１５３は、屈曲部１５３Ａ，１５３Ｂの先端部に夫々設けられた折り目に沿って屈曲部１５３Ａ，１５３Ｂが屈曲されることによって、蛇腹状に伸縮することができる。即ち、中間部１５３は、屈曲部１５３Ａにおける内周側の面、即ち裏面１５０Ｂの開き角度が変化し、両端に夫々接続する２つの屈曲部１５３Ｂ，１５３Ｂ間の距離が離間および近接することによって、第一方向に伸縮できる。同様に、中間部１５３は、屈曲部１５３Ｂにおける内周側の面、即ち表面１５０Ａの開き角度が変化し、両端に夫々接続する２つの屈曲部１５３Ａ，１５３Ａ間の距離が離間および近接することによって、第一方向に伸縮できる。以下の説明において、第三方向断面における屈曲部１５３Ａ，１５３Ｂの内周側の面の開き角度が大きくなる状態を、便宜上、屈曲部１５３Ａ，１５３Ｂが開いた状態という。また、第三方向断面における屈曲部１５３Ａ，１５３Ｂの内周側の面の開き角度が小さくなる状態を、便宜上、屈曲部１５３Ａ，１５３Ｂが閉じた状態という。
【００６６】
中間部１５３は、屈曲部１５３Ａが開いた状態となり、屈曲部１５３Ｂが閉じた状態となることで、表面１５０Ａを内面側にしてハーネス１５０を折り畳むことができる。同様に、中間部１５３は、屈曲部１５３Ａが閉じた状態となり、屈曲部１５３Ｂが開いた状態となることで、表面１５０Ａを外面側にしてハーネス１５０を折り畳むことができる。このような形状のハーネス１５０は、第一実施形態と同様の金型（図示略）を用いて作製すればよい。第一方向における中間部１５３の伸張時の長さと収縮時の長さとの差を大きくしたい場合、ハーネス１５０を作製する際に、より厚みの薄い絶縁フィルムを採用するとよい。絶縁フィルムは、厚みが薄いほど、屈曲部１５３Ａ，１５３Ｂが閉じた状態において、内周側の面の開き角度を、より小さくすることができる。また、屈曲部１５３Ａ，１５３Ｂ形成前の状態におけるハーネス１５０の第一方向の長さは、コネクタ部７３Ｌとコネクタ部７３Ｒとが、ハーネス１５０を配置する経路に沿って最も離れた場合の距離よりも長く設定するとよい。情報入力装置１０１の製造過程において、ハーネス１５０は、第一実施形態と同様の工程で組み付けられることによって、帯状体４４と折曲部４Ｃとの間に配置され、ノート５よりも前側に飛び出さない。
【００６７】
図１１に示すように、情報入力装置１０１の第二形態において、ハーネス１５０は、左側に配置される検出装置２Ｌのコネクタ部７３Ｌと、右側に配置される検出装置２Ｒのコネクタ部７３Ｒとの間で配線される。第二形態において、ハーネス１５０の中間部１５３は、第一実施形態と同様の経路に沿って配置される。第二形態において中間部１５３が延びる長さＦ２２は、コネクタ部７３Ｌとコネクタ部７３Ｒとが左右方向に離れる距離より僅かに長い。中間部１５３は、ハーネス１５０の作製時の長さよりも僅かに長く伸張される。中間部１５３は、更に伸張可能な状態である。屈曲部１５３Ａ，１５３Ｂは、折り目を境に屈曲した状態を維持する。
【００６８】
図１２に示すように、情報入力装置１０１の第一形態において、ハーネス１５０は、コネクタ部７３Ｌと、コネクタ部７３Ｌの後側に配置されるコネクタ部７３Ｒとの間で配線される。第一形態においても、ハーネス１５０の中間部１５３は、第一実施形態と同様の経路に沿って配置される。ハーネス１５０は、中間部１５３における表面１５０Ａを内面側にして折り畳まれ、右側接続部１５１における表面１５０Ａと左側接続部１５２における表面１５０Ａとが対向して配置された状態になる。第一形態において中間部１５３が延びる長さＦ２１は、第二形態における中間部１５３の長さＦ２２よりも長い。即ち、中間部１５３は、第二形態よりも伸長された状態で配置される。屈曲部１５３Ａ，１５３Ｂは、夫々開いた状態になる。屈曲部１５３Ａ，１５３Ｂ形成前の中間部１５３の長さは、長さＦ２１よりも長く設定される。故に、第一形態において、屈曲部１５３Ａ，１５３Ｂは伸びきらず、折り目を境に屈曲した状態を維持する。
【００６９】
図１３に示すように、情報入力装置１０１の第三形態において、ハーネス１５０は、コネクタ部７３Ｌと、コネクタ部７３Ｌの前側に配置されるコネクタ部７３Ｒとの間で配線される。第三形態において、ハーネス１５０の中間部１５３は、第一実施形態と同様の経路に沿って配置される。ハーネス１５０は、中間部１５３における裏面１５０Ｂを内面側にして折り畳まれ、右側接続部１５１における裏面１５０Ｂと左側接続部１５２における裏面１５０Ｂとが対向して配置された状態になる。第三形態において中間部１５３が延びる長さＦ２３は、第二形態における中間部１５３の長さＦ２２よりも短い。即ち、中間部１５３は、第二形態よりも収縮された状態で配置される。屈曲部１５３Ａ，１５３Ｂは、夫々閉じた状態になる。屈曲部１５３Ａ，１５３Ｂは、折り目に沿って規則的に屈曲される。
【００７０】
第三形態における屈曲部１５３Ａ，１５３Ｂの第二方向の長さをＥ２とする。長さＥ２は、例えば、第三方向断面における屈曲部１５３Ａの先端即ち折り目の位置と、その屈曲部１５３Ａに接続する屈曲部１５３Ｂの先端即ち折り目の位置との間の第二方向の長さである。長さＥ２は、第三形態における帯状体４４と折曲部４Ｃとの間隙の第二方向の長さＤよりも小さい。収縮時、即ち第三形態における屈曲部１５３Ａ，１５３Ｂの第二方向の長さＥ２は、伸張時、即ち第一形態および第二形態における屈曲部１５３Ａ，１５３Ｂの第二方向の長さよりも長い。つまり、ハーネス１５０の中間部１５３は、屈曲部１５３Ａ，１５３Ｂの大きさが、収縮時において帯状体４４と折曲部４Ｃとの間隙内に収まる大きさに設定される。故にハーネス１５０は、帯状体４４と折曲部４Ｃとの間隙において圧縮されにくく、負荷を受けにくい。
【００７１】
このように、ハーネス１５０の中間部１５３は、第二形態の場合に、第一形態の伸張された状態よりも小さく伸張され、第三形態の収縮された状態よりも大きく伸張される。故に、第二形態においてハーネス１５０にかかる負荷は、第一形態および第三形態においてハーネス１５０にかかる負荷よりも小さく、無負荷の状態に近い。また、情報入力装置１０１は、第二形態および第三形態よりも、第一形態にされることが多い。つまり、ハーネス１５０は、第二形態の場合よりも大きな負荷が掛かった状態となることが多い。屈曲部１５３Ａ，１５３Ｂは、夫々、折り目を境に規則的に屈曲されているので、伸張時および収縮時に安定して伸縮できる。ハーネス１５０は、屈曲部１５３Ａ，１５３Ｂにおいて規則的に屈曲することができるので、伸張された状態に維持されたとしても、ハーネス１５０にかかる負荷を屈曲部１５３Ａ，１５３Ｂ間で分散し、軽減することができる。
【００７２】
以上説明したように、第二実施形態において、ハーネス１５０は、屈曲部１５３Ａ，１５３Ｂの内側の角度が変化し、広がったり狭くなったりする動作によって伸縮する。屈曲部１５３Ａ，１５３Ｂは、折り目に沿って規則的に屈曲する。故にハーネス１５０は、安定して伸縮することができる。ノート５の開閉が繰り返し行われ、検出装置２Ｌと検出装置２Ｒとの間の距離が繰り返し変化しても、ハーネス１５０は確実に伸縮することができるので、検出装置２Ｌと検出装置２Ｒとの電気的な接続を維持することができる。
【００７３】
情報入力装置１０１は、検出装置２Ｌと検出装置２Ｒとを第一形態に配置し、検出装置２Ｌと検出装置２Ｒとの間にノート５を挟むことで、持ち運びを容易とすることができる。また、情報入力装置１０１は、検出装置２Ｌと検出装置２Ｒとを第二形態に配置することで、ノート５の筆記面を露出させ、ユーザに筆記させることができる。更に、情報入力装置１０１は、検出装置２Ｌと検出装置２Ｒとを第三形態に配置することで、検出装置２Ｌおよび検出装置２Ｒを折り畳んだ状態としながら、ノート５の筆記面を露出させ、ユーザに筆記させることができる。各形態への変形において、複数の屈曲部１５３Ａ，１５３Ｂが夫々規則的に屈曲することで、ハーネス１５０は伸縮し、検出装置２Ｌと検出装置２Ｒとの位置関係の変化に追従できる。故に、ハーネス１５０は、検出装置２Ｌと検出装置２Ｒとの電気的な接続を維持することができる。
【００７４】
また、第二方向において、収縮時の屈曲部１５３Ａ，１５３Ｂの大きさは、折曲部４Ｃと帯状体４４との間隙の大きさ以下である。故にハーネス１５０は、収縮によって屈曲部１５３Ａ，１５３Ｂが屈曲した状態であっても、折曲部４Ｃおよび帯状体４４に引っかかりにくいので、より確実に伸縮することができる。
【００７５】
次に、本発明の第三実施形態について、図１４〜図１７を参照して説明する。第三実施形態に係る情報入力装置２０１（図１５参照）の構成は、ハーネス２５０およびゴムコネクタ２７３Ｌ，２７３Ｒの構成が第一実施形態および第二実施形態と異なり、それ以外の部分については第一実施形態および第二実施形態と同様の構成である。従って、以下では、ハーネス２５０およびゴムコネクタ２７３Ｌ，２７３Ｒの構成について説明し、それ以外の部分についての説明は簡略化または省略する。
【００７６】
図１４に示す、ハーネス２５０の材料には、絶縁性のシリコンゴムに、例えば、カーボン、銀粉末、金メッキされたシリカ、グラファイト、導電性亜鉛華等、導電性の材料を配合し、弾性を維持したまま導電性を発現した、いわゆる導電性シリコンゴムが用いられる。なお、ハーネス２５０には、導電性シリコンゴムの代わりに導電性の合成ゴムを用いることも可能である。導電性シリコンゴムは、導電性の合成ゴムに比べて導電性、耐熱性／耐寒性、耐久性に優れている。
【００７７】
ハーネス２５０は、第二方向に厚みを有し、第三方向を幅方向として第一方向に延びる。ハーネス２５０は、導通部２５４、第一絶縁部２５５、第二絶縁部２５６，２５７を有する。導通部２５４は、第一方向に棒状に延び、導電性シリコンゴムによって形成される部位であり、例えば、４本形成される。第一絶縁部２５５は、導通部２５４と同じ長さで第一方向に延び、絶縁性シリコンゴムによって形成される部位であり、例えば、５本形成される。導通部２５４と第一絶縁部２５５は、第三方向に交互に並べて密着状態に配置される。第三方向の両端には第一絶縁部２５５が配置される。導通部２５４と第一絶縁部２５５は、例えば接着剤によって、隣り合う同士が接着される。即ち、４本の導通部２５４は、第一絶縁部２５５によって互いに非接触の状態に維持される。
【００７８】
第二絶縁部２５６，２５７は、第一方向に板状に延び、絶縁性シリコンゴムによって形成される部位である。第二絶縁部２５６，２５７の第三方向の長さは、導通部２５４と第一絶縁部２５５とを密着して配置した長さと略同じである。第二絶縁部２５６，２５７の第一方向の長さは、導通部２５４および第一絶縁部２５５の第一方向の長さよりも短い。第二絶縁部２５６は、導通部２５４および第一絶縁部２５５の第二方向一方側の面で、第一方向の両端を除く中間部分に、例えば接着剤によって接着される。第二絶縁部２５７は、導通部２５４および第一絶縁部２５５の第二方向他方側の面で、第一方向の両端を除く中間部分に、例えば接着剤によって接着される。即ち、４本の導通部２５４は、両端の露出部分を除き、外部と接触しないように第一絶縁部２５５と第二絶縁部２５６，２５７によって周囲が覆われる。
【００７９】
ハーネス２５０は、右側接続部２５１、左側接続部２５２、中間部２５３を含む。右側接続部２５１は、導通部２５４および第一絶縁部２５５が、第二絶縁部２５６，２５７の第一方向他方側で露出する部分である。右側接続部２５１は、検出装置２Ｒの制御基板（図示略）に設けられたゴムコネクタ２７３Ｒ（図１５参照）に、左側から差し込んで接続する。ゴムコネクタ２７３Ｒと右側接続部２５１は、摩擦力によって、接続状態が維持される。ゴムコネクタ２７３Ｒと右側接続部２５１の摩擦力は、ハーネス２５０の弾性力よりも大きい。よって、ハーネス２５０が伸縮しても、右側接続部２５１がゴムコネクタ２７３Ｒから抜けることは無い。
【００８０】
左側接続部２５２は、導通部２５４および第一絶縁部２５５が、第二絶縁部２５６，２５７の第一方向一方側で露出する部分である。左側接続部２５２は、検出装置２Ｌの制御基板（図示略）に設けられたゴムコネクタ２７３Ｌ（図１５参照）に、右から差し込んで接続する。ゴムコネクタ２７３Ｌと左側接続部２５２も、摩擦力によって、接続状態が維持される。ゴムコネクタ２７３Ｌと左側接続部２５２の摩擦力は、ハーネス２５０の弾性力よりも大きい。よって、ハーネス２５０が伸縮しても、左側接続部２５２がゴムコネクタ２７３Ｌから抜けることは無い。
【００８１】
中間部２５３は、第二絶縁部２５６，２５７が設けられた部分である。中間部２５３は、右側接続部２５１と左側接続部２５２との間で第一方向に延び、検出装置２Ｒと検出装置２Ｌとの間を電気的に繋ぐ。
【００８２】
このような構成のハーネス２５０は、シリコンゴムによって弾性を有することで、伸縮することができる。また、ハーネス２５０は、表面２５０Ａまたは裏面２５０Ｂを内面側にして折り畳むこともできる。情報入力装置２０１の製造過程において、ハーネス２５０は、第一実施形態と同様の工程で組み付けられることによって、帯状体４４と折曲部４Ｃとの間に配置され、ノート５よりも前側に飛び出さない。
【００８３】
図１５に示すように、情報入力装置２０１の第二形態において、ハーネス２５０は、左側に配置される検出装置２Ｌのゴムコネクタ２７３Ｌと、右側に配置される検出装置２Ｒのゴムコネクタ２７３Ｒとの間で配線される。第二形態において、ハーネス２５０の中間部２５３は、第一実施形態および第二実施形態と同様の経路に沿って配置される。第二形態において中間部２５３が延びる長さＦ３２は、ゴムコネクタ２７３Ｌとゴムコネクタ２７３Ｒとが左右方向に離れる距離より僅かに長い。中間部２５３は、例えば、自然長、即ち最も収縮した状態の長さよりも長く伸張される。中間部２５３は、更に伸張可能な状態である。なお、第二形態において、中間部２５３の長さＦ３２は、自然長であってもよい。
【００８４】
図１６に示すように、情報入力装置２０１の第一形態において、ハーネス２５０は、ゴムコネクタ２７３Ｌと、ゴムコネクタ２７３Ｌの後側に配置されるゴムコネクタ２７３Ｒとの間で配線される。第一形態においても、ハーネス２５０の中間部２５３は、第一実施形態および第二実施形態と同様の経路に沿って配置される。ハーネス２５０は、中間部２５３における表面２５０Ａを内面側にして折り畳まれ、右側接続部２５１における表面２５０Ａと左側接続部２５２における表面２５０Ａとが対向して配置された状態になる。第一形態において中間部２５３が延びる長さＦ３１は、第二形態における中間部２５３の長さＦ３２よりも長い。即ち、中間部２５３は、第二形態よりも伸張された状態で配置される。第一形態における中間部２５３の長さＦ３１は、自然長よりも長い。
【００８５】
図１７に示すように、情報入力装置２０１の第三形態において、ハーネス２５０は、ゴムコネクタ２７３Ｌと、ゴムコネクタ２７３Ｌの前側に配置されるゴムコネクタ２７３Ｒとの間で配線される。第三形態において、ハーネス２５０の中間部２５３は、第一実施形態および第二実施形態と同様の経路に沿って配置される。ハーネス２５０は、中間部２５３における裏面２５０Ｂを内面側にして折り畳まれ、右側接続部２５１における裏面２５０Ｂと左側接続部２５２における裏面２５０Ｂとが対向して配置された状態になる。第三形態において、中間部２５３の配置される経路の長さは、第二形態において中間部２５３の配置される経路の長さよりも短い。故に、第三形態において中間部２５３が延びる長さＦ３３は、第二形態における中間部２５３の長さＦ３２以下である。第二形態において中間部２５３が例えば伸張された状態であれば、第三形態において、中間部２５３は、第二形態よりも収縮された状態で配置される。第二形態における中間部２５３の長さＦ３２が例えば自然長であれば、第三形態における中間部２５３の長さＦ３３も自然長になる。なお、第三形態における中間部２５３の長さＦ３３は、自然長よりも長くてもよいし、自然長であってもよい。中間部２５３の配置される経路の長さが自然長よりも短い場合、中間部２５３は、長さＦ３３が自然長となり、緩んだ状態で経路に配置される。中間部２５３の配置される経路の長さが自然長よりも長い場合、中間部２５３は、長さＦ３３が自然長よりも伸張した長さとなり、緊張した状態で経路に配置される。
【００８６】
このように、ハーネス２５０は、弾性力を有することによって、情報入力装置２０１の形態に合わせて伸張することができる。情報入力装置２０１は、第二形態および第三形態よりも、第一形態にされることが多い。しかし、ハーネス２５０が、形成材料のもつ弾性力によってスムーズに伸縮することができるので、検出装置２Ｌと検出装置２Ｒとが電気的に接続する状態を確実に維持することができる。
【００８７】
以上説明したように、第三実施形態において、ハーネス２５０は、ゴム部材の弾性により、ノート５の開閉に伴って生じる検出装置２Ｌと検出装置２Ｒとの間の距離の変化に応じて伸縮することができる。ノート５の開閉が繰り返し行われても、ハーネス２５０は確実に伸縮することができるので、検出装置２Ｌと検出装置２Ｒとの電気的な接続を維持することができる。また、ハーネス２５０は、帯状体４４と折曲部４Ｃとの間に配置されることによって露出しないので、破損を防止することができる。
【００８８】
なお、上記した各実施形態に対して、種々の変更が可能である。検出装置２Ｌ，２Ｒは、公知の電磁誘導方式で電子ペン６の位置を検出するが、抵抗膜方式（いわゆる感圧式）、静電容量方式等、その他の方式を用い、検出対象体の検出装置２Ｌ，２Ｒへの近接または接触を検出してもよい。ノート５のサイズ、フォーマット、材質などは、上記実施形態に限定されない。ノート５を検出装置２Ｌ，２Ｒに取り付ける方法は、上記実施形態で例示された方法に限定されない。
【００８９】
実施形態は、後カバー９Ｌに開口部９１が設けられ、後カバー９Ｌとデジタイザ基板７Ｌとの間で前後方向にスライダ６０を挟む形態でスライダ６０が支持される例である。しかし、後カバー９Ｌの後面にスライダ６０の支持部が設けられてもよい。この場合、後カバー９Ｌの後面と支持部とがスライダ６０を前後方向において支持すればよい。スライダ６０と外装カバー４とは、突部と鳩目穴４３を用いた係合ではなく、その他の方法で係合されてもよい。例えば、ネジ、リベット、ステープル、フック、縫製など、その他の方法が採用されてもよい。また、検出装置２Ｒがスライダ６０を備え、検出装置２Ｌに対して近接および離間する方向に移動できてもよい。或いは、検出装置２Ｌ，２Ｒが夫々スライダ６０を備え、互いに近接および離間する方向に移動できてもよい。
【００９０】
また、折曲部４Ｃは、第二形態において左右方向に伸縮可能な構成であってもよい。この場合、検出装置２Ｌ，２Ｒは、夫々、左カバー部４Ｌと右カバー部４Ｒに固定される構成としてもよい。
【００９１】
また、第一実施形態において、ハーネス５０の中間部５３には複数の湾曲部５３Ａ，５３Ｂが形成されたが、中間部５３に、例えば１つの湾曲部５３Ａまたは１つの湾曲部５３Ｂのみが形成されてもよい。湾曲部５３Ａと湾曲部５３Ｂとは交互に連続する構成としたが、湾曲部５３Ａと湾曲部５３Ｂとの間に、第三方向断面における接線方向が変化しないストレート部分があってもよい。また、ハーネス５０の中間部５３は、帯状体４４と折曲部４Ｃの間隙に配置されたが、帯状体４４がなく、第二形態において折曲部４Ｃの前側に露出した状態で配置されてもよい。
【００９２】
第二実施形態において、ハーネス１５０の中間部１５３に複数の屈曲部１５３Ａ，１５３Ｂが形成されたが、中間部１５３に、例えば１つの屈曲部１５３Ａまたは１つの屈曲部１５３Ｂのみが形成されてもよい。屈曲部１５３Ａと屈曲部１５３Ｂとは交互に連続する構成としたが、屈曲部１５３Ａと屈曲部１５３Ｂとの間に、第三方向断面において第一方向に延びる部分が形成されてもよい。また、ハーネス１５０の中間部１５３は、帯状体４４と折曲部４Ｃの間隙に配置されたが、帯状体４４がなく、第二形態において折曲部４Ｃの前側に露出した状態で配置されてもよい。
【００９３】
第三実施形態において、ハーネス２５０は、導電性のシリコンゴムを用いて作製されたが、シリコンゴムに限らず、弾性力を有し、導電性を確保できる材料を用いて作製すればよい。また、ハーネス２５０の中間部２５３は、帯状体４４と折曲部４Ｃの間隙に配置されたが、帯状体４４がなく、第二形態において折曲部４Ｃの前側に露出した状態で配置されてもよい。
【００９４】
また、図１８に示す、ハーネス３５０のように、中間部３５３において、湾曲部３５３Ａ，３５３Ｂは、不連続に、即ち間欠的に形成されてもよい。湾曲部３５３Ａ，３５３Ｂの非形成部分には、例えば、第三方向断面において第一方向に沿って延びる接続部３５３Ｃが形成されればよい。湾曲部３５３Ａと湾曲部３５３Ｂと接続部３５３Ｃとは、夫々交互に配置されてもよい。
【００９５】
また、図１９に示す、ハーネス４５０のように、中間部４５３に形成された湾曲部４５３Ａ，４５３Ｂの第二方向の長さが、不規則に変化してもよい。情報入力装置４０１の第二形態において、帯状体４４と折曲部４Ｃとの間隙の上下方向と直交する断面の形状は、左右方向の中央に近いほど前後方向の長さが長くなる形状である。湾曲部４５３Ａ，４５３Ｂは、帯状体４４と折曲部４Ｃとの間隙の形状に合わせ、第一方向の中央に近いほど、第二方向の長さが大きくなるように形成されるとよい。
【００９６】
また、図２０に示す、ハーネス５５０のように、湾曲部５５３Ａ，５５３Ｂは、中間部５５３において、湾曲部５５３Ａが第三方向の一方側に突出し、湾曲部５５３Ｂが第三方向の他方側に突出する形態であってもよい。ハーネス５５０はフレキシブル基板であって可撓性を有する。故に、湾曲部５５３Ａ，５５３Ｂがこのような形態であっても、中間部５５３は、第一方向に伸縮することが可能である。なお、図１８〜図２０に示す、各変形例において、湾曲部は、屈曲部であってもよい。
【００９７】
上記実施形態では、ノート５が、本発明の「記録媒体」に相当する。電子ペン６が、本発明の「筆記具」に相当する。検出面２１Ｌ，２１Ｒが、夫々、本発明の「第一検出面」、「第二検出面」に相当する。左表紙５Ｌ、右表紙５Ｒが、夫々、本発明の「第一表紙」、「第二表紙」に相当する。検出装置２Ｌ，２Ｒが、夫々、本発明の「第一検出装置」、「第二検出装置」に相当する。後面２６Ｌ，２６Ｒが、夫々、本発明の「第一裏面」、「第二裏面」に相当する。左カバー部４Ｌ、右カバー部４Ｒが、夫々、本発明の「第一保持部」、「第二保持部」に相当する。外装カバー４が、本発明の「連結部材」に相当する。ハーネス５０，１５０，２５０が、本発明の「接続部材」に相当する。帯状体４４が、本発明の「保護部材」に相当する。長さＦ３１が、本発明の「第一長さ」に相当する。
【符号の説明】
【００９８】
１，１０１，２０１            情報入力装置
２Ｌ，２Ｒ                    検出装置
４                            外装カバー
４Ｃ                          折曲部
４Ｌ                          左カバー部
４Ｒ                          右カバー部
５                            ノート
５Ｌ                          左表紙
５Ｒ                          右表紙
６                            電子ペン
２１Ｌ，２１Ｒ                検出面
２６Ｌ，２６Ｒ                後面
４４                          帯状体
５０，１５０，２５０          ハーネス
５３Ａ，５３Ｂ                湾曲部
１５３Ａ，１５３Ｂ            屈曲部
【図１】
2016071467.tif 000003
【図２】
2016071467.tif 000004
【図３】
2016071467.tif 000005
【図４】
2016071467.tif 000006
【図５】
2016071467.tif 000007
【図６】
2016071467.tif 000008
【図７】
2016071467.tif 000009
【図８】
2016071467.tif 000010
【図９】
2016071467.tif 000011
【図１０】
2016071467.tif 000012
【図１１】
2016071467.tif 000013
【図１２】
2016071467.tif 000014
【図１３】
2016071467.tif 000015
【図１４】
2016071467.tif 000016
【図１５】
2016071467.tif 000017
【図１６】
2016071467.tif 000018
【図１７】
2016071467.tif 000019
【図１８】
2016071467.tif 000020
【図１９】
2016071467.tif 000021
【図２０】
2016071467.tif 000022